(57)【要約】【課題】  ユーザが希望する細かいニュアンスを作品および文書デザインに共通的にかつ的確に反映させることができなかった。【解決手段】  本発明に係る書類作成支援装置は、ターゲットコンセプトを入力するためのコンセプト入力部と、ターゲットコンセプトに対応する掲載情報の候補を検索する掲載情報検索部と、掲載情報の候補のなかから掲載情報を選択する掲載情報選択部と、ターゲットコンセプトを修正するコンセプト修正部と、修正されたターゲットコンセプトに対応するテンプレートの候補を検索するテンプレート検索部と、テンプレートの候補のなかからテンプレートを選択するテンプレート選択部と、選択された掲載情報および選択されたテンプレートから書類データを作成する書類データ作成部とを備える。【選択図】  図１
2006004451.tif 000002
【特許請求の範囲】
【請求項１】
書類データに含まれるべき掲載情報およびテンプレートであって当該書類データの内容
を規定する前記掲載情報および前記書類データの形式を規定する前記テンプレートを決定
するためのターゲットコンセプトを入力するためのコンセプト入力部と、
コンセプトを有する複数の掲載情報を記憶する掲載情報記憶部と、
コンセプトを有する複数のテンプレートを記憶するテンプレート記憶部と、
前記掲載情報記憶部で、前記コンセプト入力部から入力された前記ターゲットコンセプ
トに対応する掲載情報の候補を検索する掲載情報検索部と、
前記掲載情報の候補から、前記書類データに含ませることを企図する掲載情報を選択す
る掲載情報選択部と、
前記選択された掲載情報のコンセプトに基づき、前記コンセプト入力部から入力された
前記ターゲットコンセプトを修正するコンセプト修正部と、
前記テンプレート記憶部で、前記修正されたターゲットコンセプトに対応するテンプレ
ートの候補を検索するテンプレート検索部と、
前記テンプレートの候補から、前記書類データに含ませることを企図するテンプレート
を選択するテンプレート選択部と、
前記選択された掲載情報および前記選択されたテンプレートから前記書類データを作成
する書類データ作成部とを含むことを特徴とする書類作成支援装置。
【請求項２】
請求項１において、
複数の利用者に関する情報を記憶する利用者情報記憶部と、
前記利用者情報記憶部で、前記ターゲットコンセプトに対応する利用者の候補を検索す
る利用者検索部と、
前記利用者の候補から前記書類データの利用を企図する利用者を選択する利用者選択部
とをさらに含み、
前記コンセプト修正部は、前記選択された利用者に関する情報に応じて前記ターゲット
コンセプトを修正することを特徴とする書類作成支援装置。
【請求項３】
請求項１において、
前記書類データ作成部は、前記ターゲットコンセプトに沿って前記書類データを出力さ
せるための出力情報を前記書類データに付加することを特徴とする書類作成支援装置。
【請求項４】
書類データに含まれるべき、当該書類データの内容および形式の一方を規定する第１情
報および前記一方または他方を規定する第２情報を決定するためのターゲットコンセプト
を入力するためのコンセプト入力部と、
コンセプトを有する複数の第１情報を記憶する第１情報記憶部と、
コンセプトを有する複数の第２情報を記憶する第２情報記憶部と、
前記第１情報記憶部で、前記コンセプト入力部から入力された前記ターゲットコンセプ
トに対応する第１情報の候補を検索する第１情報検索部と、
前記第１情報の候補から、前記書類データに含ませることを企図する第１情報を選択す
る第１情報選択部と、
前記選択された第１情報のコンセプトに基づき、前記コンセプト入力部から入力された
前記ターゲットコンセプトを修正するコンセプト修正部と、
前記第２情報記憶部で、前記修正されたターゲットコンセプトに対応する第２情報の候
補を検索する第２情報検索部と、
前記第２情報の候補から、前記書類データに含ませることを企図する第２情報を選択す
る第２情報選択部と、
前記選択された第１情報および前記選択された第２情報から前記書類データを作成する
書類データ作成部とを含むことを特徴とする書類作成支援装置。
【請求項５】
書類データの作成を協働して支援する、コンセプト入力部と、掲載情報検索部と、掲載
情報選択部と、コンセプト修正部と、テンプレート検索部と、テンプレート選択部と、書
類データ作成部とを有するコンピュータに、書類データの内容を規定する掲載情報および
前記書類データの形式を規定する前記テンプレートからなる前記書類データの作成を支援
させる書類作成支援プログラムであって、
前記コンセプト入力部に、前記掲載情報および前記テンプレートを決定するためのター
ゲットコンセプトを入力させる入力工程と、
前記掲載情報検索部に、前記ターゲットコンセプトに対応する掲載情報の候補を検索さ
せる第１の検索工程と、
前記掲載情報選択部に、前記掲載情報の候補から、前記書類データに含ませることを企
図する掲載情報を選択させる第１の選択工程と、
前記コンセプト修正部に、前記選択された掲載情報のコンセプトに基づき、前記ターゲ
ットコンセプトを修正させる修正工程と、
前記テンプレート検索部に、前記修正されたターゲットコンセプトに対応するテンプレ
ートの候補を検索させる第２の検索工程と、
前記テンプレート選択部に、前記テンプレートの候補から、前記書類データに含ませる
ことを企図するテンプレートを選択させる第２の選択工程と、
前記書類データ作成部に、前記選択された掲載情報および前記選択されたテンプレート
から前記書類データを作成させる作成工程とを含むことを特徴とする書類作成支援プログ
ラム。
【請求項６】
書類データに含まれるべき掲載情報およびテンプレートであって当該書類データの内容
を規定する前記掲載情報および前記書類データの形式を規定する前記テンプレートを決定
するためのターゲットコンセプトを入力するコンセプト入力工程と、
前記ターゲットコンセプトに対応する掲載情報の候補を検索する掲載情報検索工程と、
前記掲載情報の候補から、前記書類データに含ませることを企図する掲載情報を選択す
る掲載情報選択工程と、
前記選択された掲載情報のコンセプトに基づき、前記入力工程で入力された前記ターゲ
ットコンセプトを修正するコンセプト修正工程と、
前記修正されたターゲットコンセプトに対応するテンプレートの候補を検索するテンプ
レート検索工程と、
前記テンプレートの候補から、前記書類データに含ませることを企図するテンプレート
を選択するテンプレート選択工程と、
前記選択された掲載情報および前記選択されたテンプレートから前記書類データを作成
する書類データ作成工程とを含むことを特徴とする書類作成支援方法。
【請求項７】
掲載情報およびテンプレートを抽出するためのターゲットコンセプトを入力可能なコン
セプト入力部と、
コンセプトを含む前記掲載情報を記憶する掲載情報記憶部と、
コンセプトを含む前記テンプレートを記憶するテンプレート記憶部と、
前記掲載情報記憶部のなかから、前記コンセプト入力部から入力された前記ターゲット
コンセプトに対応する掲載情報の候補を検索する掲載情報検索部と、
前記抽出された掲載情報の候補のなかから、書類データに含ませることを企図する掲載
情報を選択する掲載情報選択部と、
前記選択された掲載情報のコンセプトに基づき、前記コンセプト入力部から入力された
前記ターゲットコンセプトを修正するコンセプト修正部と、
前記テンプレート記憶部のなかから、前記修正されたターゲットコンセプトに対応する
テンプレートの候補を検索するテンプレート検索部と、
前記抽出されたテンプレートの候補のなかから、前記書類データに含ませることを企図
するテンプレートを選択するテンプレート選択部と、
前記選択された掲載情報および前記選択されたテンプレートから前記書類データを作成
する書類データ作成部とを備えることを特徴とする書類作成支援装置。
【請求項８】
請求項７において、
利用者に関する情報を記憶する利用者情報記憶部と、
前記利用者情報記憶部のなかから、前記ターゲットコンセプトに対応する利用者の候補
を検索する利用者検索部と、
前記利用者の候補のなかから、前記書類データの利用を企図する利用者を選択する利用
者選択部とをさらに備え、
前記コンセプト修正部は、前記選択された利用者に関する情報に応じて前記ターゲット
コンセプトを修正することを特徴とする書類作成支援装置。
【請求項９】
請求項７において、
前記書類データ作成部は、前記ターゲットコンセプトに対応する出力情報を前記書類デ
ータに付加することを特徴とする書類作成支援装置。
【請求項１０】
掲載情報およびテンプレートの一方である第１情報、並びに前記掲載情報および前記テ
ンプレートの他方である第２情報を抽出するためのターゲットコンセプトを入力可能なコ
ンセプト入力部と、
コンセプトを含む前記第１情報を記憶する第１情報記憶部と、
コンセプトを含む前記第２情報を記憶する第２情報記憶部と、
前記第１情報記憶部のなかから、前記コンセプト入力部から入力された前記ターゲット
コンセプトに対応する第１情報の候補を検索する第１情報検索部と、
前記抽出された第１情報の候補のなかから、書類データに含ませることを企図する第１
情報を選択する第１情報選択部と、
前記選択された第１情報のコンセプトに基づき、前記コンセプト入力部から入力された
前記ターゲットコンセプトを修正するコンセプト修正部と、
前記第２情報記憶部のなかから、前記修正されたターゲットコンセプトに対応する第２
情報の候補を検索する第２情報検索部と、
前記抽出された第２情報の候補のなかから、前記書類データに含ませることを企図する
第２情報を選択する第２情報選択部と、
前記選択された第１情報および前記選択された第２情報から前記書類データを作成する
書類データ作成部とを備えることを特徴とする書類作成支援装置。
【請求項１１】
掲載情報およびテンプレートを抽出するためのターゲットコンセプトを入力するコンセ
プト入力工程と、
コンセプトを含む前記掲載情報を記憶する掲載情報記憶部のなかから、前記コンセプト
入力工程から入力された前記ターゲットコンセプトに対応する掲載情報の候補を検索する
掲載情報検索工程と、
前記抽出された掲載情報の候補のなかから、書類データに含ませることを企図する掲載
情報を選択する掲載情報選択工程と、
前記選択された掲載情報のコンセプトに基づき、前記コンセプト入力工程から入力され
た前記ターゲットコンセプトを修正するコンセプト修正工程と、
コンセプトを含む前記テンプレートを記憶するテンプレート記憶部のなかから、前記修
正されたターゲットコンセプトに対応するテンプレートの候補を検索するテンプレート検
索工程と、
前記抽出されたテンプレートの候補のなかから、前記書類データに含ませることを企図
するテンプレートを選択するテンプレート選択工程と、
前記選択された掲載情報および前記選択されたテンプレートから前記書類データを作成
する書類データ作成工程とからなる処理をコンピュータに実行させるためのプログラムを
含むことを特徴とする書類作成支援プログラム。
【請求項１２】
掲載情報およびテンプレートの一方である第１情報、並びに前記掲載情報および前記テ
ンプレートの他方である第２情報を抽出するためのターゲットコンセプトを入力するコン
セプト入力工程と、
コンセプトを含む前記第１情報を記憶する第１情報記憶部のなかから、前記コンセプト
入力工程から入力された前記ターゲットコンセプトに対応する第１情報の候補を検索する
第１情報検索工程と、
前記抽出された第１情報の候補のなかから、書類データに含ませることを企図する第１
情報を選択する第１情報選択工程と、
前記選択された第１情報のコンセプトに基づき、前記コンセプト入力工程から入力され
た前記ターゲットコンセプトを修正するコンセプト修正工程と、
コンセプトを含む前記第２情報を記憶する第２情報記憶部のなかから、前記修正された
ターゲットコンセプトに対応する第２情報の候補を検索する第２情報検索工程と、
前記抽出された第２情報の候補のなかから、前記書類データに含ませることを企図する
第２情報を選択する第２情報選択工程と、
前記選択された第１情報および前記選択された第２情報から前記書類データを作成する
書類データ作成工程とからなる処理をコンピュータに実行させるためのプログラムを含む
ことを特徴とする書類作成支援プログラム。
【請求項１３】
コンピュータ読取可能な記憶媒体であって、
掲載情報およびテンプレートを抽出するためのターゲットコンセプトを入力するコンセ
プト入力工程と、
コンセプトを含む前記掲載情報を記憶する掲載情報記憶部のなかから、前記コンセプト
入力工程から入力された前記ターゲットコンセプトに対応する掲載情報の候補を検索する
掲載情報検索工程と、
前記抽出された掲載情報の候補のなかから、書類データに含ませることを企図する掲載
情報を選択する掲載情報選択工程と、
前記選択された掲載情報のコンセプトに基づき、前記コンセプト入力工程から入力され
た前記ターゲットコンセプトを修正するコンセプト修正工程と、
コンセプトを含む前記テンプレートを記憶するテンプレート記憶部のなかから、前記修
正されたターゲットコンセプトに対応するテンプレートの候補を検索するテンプレート検
索工程と、
前記抽出されたテンプレートの候補のなかから、前記書類データに含ませることを企図
するテンプレートを選択するテンプレート選択工程と、
前記選択された掲載情報および前記選択されたテンプレートから前記書類データを作成
する書類データ作成工程とからなる処理をコンピュータに実行させるためのプログラムを
記憶したことを特徴とする書類作成支援プログラム。
【請求項１４】
コンピュータ読取可能な記憶媒体であって、
掲載情報およびテンプレートの一方である第１情報、並びに前記掲載情報および前記テ
ンプレートの他方である第２情報を抽出するためのターゲットコンセプトを入力するコン
セプト入力工程と、
コンセプトを含む前記第１情報を記憶する第１情報記憶部のなかから、前記コンセプト
入力工程から入力された前記ターゲットコンセプトに対応する第１情報の候補を検索する
第１情報検索工程と、
前記抽出された第１情報の候補のなかから、書類データに含ませることを企図する第１
情報を選択する第１情報選択工程と、
前記選択された第１情報のコンセプトに基づき、前記コンセプト入力工程から入力され
た前記ターゲットコンセプトを修正するコンセプト修正工程と、
コンセプトを含む前記第２情報を記憶する第２情報記憶部のなかから、前記修正された
ターゲットコンセプトに対応する第２情報の候補を検索する第２情報検索工程と、
前記抽出された第２情報の候補のなかから、前記書類データに含ませることを企図する
第２情報を選択する第２情報選択工程と、
前記選択された第１情報および前記選択された第２情報から前記書類データを作成する
書類データ作成工程とからなる処理をコンピュータに実行させるためのプログラムを記憶
したことを特徴とする記憶媒体。
【請求項１５】
掲載情報およびテンプレートを抽出するためのターゲットコンセプトを入力するコンセ
プト入力工程と、
コンセプトを含む前記掲載情報を記憶する掲載情報記憶部のなかから、前記コンセプト
入力工程から入力された前記ターゲットコンセプトに対応する掲載情報の候補を検索する
掲載情報検索工程と、
前記抽出された掲載情報の候補のなかから、書類データに含ませることを企図する掲載
情報を選択する掲載情報選択工程と、
前記選択された掲載情報のコンセプトに基づき、前記コンセプト入力工程から入力され
た前記ターゲットコンセプトを修正するコンセプト修正工程と、
コンセプトを含む前記テンプレートを記憶するテンプレート記憶部のなかから、前記修
正されたターゲットコンセプトに対応するテンプレートの候補を検索するテンプレート検
索工程と、
前記抽出されたテンプレートの候補のなかから、前記書類データに含ませることを企図
するテンプレートを選択するテンプレート選択工程と、
前記選択された掲載情報および前記選択されたテンプレートから前記書類データを作成
する書類データ作成工程とを含むことを特徴とする書類作成支援方法。
【請求項１６】
入力部が、掲載情報およびテンプレートを抽出するためのターゲットコンセプトを入力
するコンセプト入力工程と、
検索部が、コンセプトを含む前記掲載情報を記憶する掲載情報記憶部のなかから、前記
コンセプト入力工程から入力された前記ターゲットコンセプトに対応する掲載情報の候補
を検索する掲載情報検索工程と、
選択部が、前記抽出された掲載情報の候補のなかから、書類データに含ませることを企
図する掲載情報を選択する掲載情報選択工程と、
処理部が、前記選択された掲載情報のコンセプトに基づき、前記コンセプト入力工程か
ら入力された前記ターゲットコンセプトを修正するコンセプト修正工程と、
前記検索部が、コンセプトを含む前記テンプレートを記憶するテンプレート記憶部のな
かから、前記修正されたターゲットコンセプトに対応するテンプレートの候補を検索する
テンプレート検索工程と、
前記選択部が、前記抽出されたテンプレートの候補のなかから、前記書類データに含ま
せることを企図するテンプレートを選択するテンプレート選択工程と、
作成部が、前記選択された掲載情報および前記選択されたテンプレートから前記書類デ
ータを作成する書類データ作成工程とを含むことを特徴とする書類作成支援方法。
【請求項１７】
掲載情報およびテンプレートの一方である第１情報、並びに前記掲載情報および前記テ
ンプレートの他方である第２情報を抽出するためのターゲットコンセプトを入力するコン
セプト入力工程と、
コンセプトを含む前記第１情報を記憶する第１情報記憶部のなかから、前記コンセプト
入力工程から入力された前記ターゲットコンセプトに対応する第１情報の候補を検索する
第１情報検索工程と、
前記抽出された第１情報の候補のなかから、書類データに含ませることを企図する第１
情報を選択する第１情報選択工程と、
前記選択された第１情報のコンセプトに基づき、前記コンセプト入力工程から入力され
た前記ターゲットコンセプトを修正するコンセプト修正工程と、
コンセプトを含む前記第２情報を記憶する第２情報記憶部のなかから、前記修正された
ターゲットコンセプトに対応する第２情報の候補を検索する第２情報検索工程と、
前記抽出された第２情報の候補のなかから、前記書類データに含ませることを企図する
第２情報を選択する第２情報選択工程と、
前記選択された第１情報および前記選択された第２情報から前記書類データを作成する
書類データ作成工程とを含むことを特徴とする書類作成支援方法。
【請求項１８】
入力部が、掲載情報およびテンプレートの一方である第１情報、並びに前記掲載情報お
よび前記テンプレートの他方である第２情報を抽出するためのターゲットコンセプトを入
力するコンセプト入力工程と、
検索部が、コンセプトを含む前記第１情報を記憶する第１情報記憶部のなかから、前記
コンセプト入力工程から入力された前記ターゲットコンセプトに対応する第１情報の候補
を検索する第１情報検索工程と、
選択部が、前記抽出された第１情報の候補のなかから、書類データに含ませることを企
図する第１情報を選択する第１情報選択工程と、
処理部が、前記選択された第１情報のコンセプトに基づき、前記コンセプト入力工程か
ら入力された前記ターゲットコンセプトを修正するコンセプト修正工程と、
前記検索部が、コンセプトを含む前記第２情報を記憶する第２情報記憶部のなかから、
前記修正されたターゲットコンセプトに対応する第２情報の候補を検索する第２情報検索
工程と、
前記選択部が、前記抽出された第２情報の候補のなかから、前記書類データに含ませる
ことを企図する第２情報を選択する第２情報選択工程と、
作成部が、前記選択された第１情報および前記選択された第２情報から前記書類データ
を作成する書類データ作成工程とを含むことを特徴とする書類作成支援方法。
【発明の詳細な説明】
【技術分野】
【０００１】
本発明は、書類作成支援装置、書類作成支援プログラムおよび記憶媒体、並びに書類作
成支援方法に関する。
【背景技術】
【０００２】
従来の書類作成支援装置として、特許文献１に記載の作品作成支援システムおよび特許
文献２に記載の文書デザイン決定装置が知られている。前者の作品作成支援システムは、
例えば、ユーザが入力する特徴情報（作品の種類、対象者、雰囲気等）に基づき、出力属
性（背景パターン、レイアウト、色の組み合わせ等）を検索し、当該出力属性を用いて前
記作品を作成する。また、後者の文書デザイン決定装置は、ユーザが入力する仕上がりイ
メージ情報（おしゃれさ、信頼性、ゆったり度等）に所定の演算を施し、当該演算の結果
に従って文書デザインを決定する。
【特許文献１】特開平８−２１２２５８号公報
【特許文献２】特開平６−１２４０８号公報
【発明の開示】
【発明が解決しようとする課題】
【０００３】
しかしながら、上記したシステムおよび装置では、前記特徴情報および前記イメージ情
報が何ら修正または変更されることなく固定的であることから、前記特徴情報および前記
イメージ情報について前記ユーザが希望する細かいニュアンスが的確に反映された作品お
よび文書デザインを作成しまたは決定することができないという問題があった。また、前
者のシステムでは、出力属性の性質上、例えば、背景パターンを検索するために入力する
特徴情報と、レイアウトを検索するために入力する特徴情報とを同一に、即ち、共通にす
ることができないことから、前記検索された背景パターンおよび前記検索されたレイアウ
トの両方に、前記ユーザが期待するニュアンスを共通的に反映させることができないとい
う問題があった。
【課題を解決するための手段】
【０００４】
〔形態１〕  上記目的を達成するために、形態１の書類作成支援装置は、
書類データに含まれるべき掲載情報およびテンプレートであって当該書類データの内容
を規定する前記掲載情報および前記書類データの形式を規定する前記テンプレートを決定
するためのターゲットコンセプトを入力するためのコンセプト入力部と、
コンセプトを有する複数の掲載情報を記憶する掲載情報記憶部と、
コンセプトを有する複数のテンプレートを記憶するテンプレート記憶部と、
前記掲載情報記憶部で、前記コンセプト入力部から入力された前記ターゲットコンセプ
トに対応する掲載情報の候補を検索する掲載情報検索部と、
前記掲載情報の候補から、前記書類データに含ませることを企図する掲載情報を選択す
る掲載情報選択部と、
前記選択された掲載情報のコンセプトに基づき、前記コンセプト入力部から入力された
前記ターゲットコンセプトを修正するコンセプト修正部と、
前記テンプレート記憶部で、前記修正されたターゲットコンセプトに対応するテンプレ
ートの候補を検索するテンプレート検索部と、
前記テンプレートの候補から、前記書類データに含ませることを企図するテンプレート
を選択するテンプレート選択部と、
前記選択された掲載情報および前記選択されたテンプレートから前記書類データを作成
する書類データ作成部とを含むことを特徴とする。
【０００５】
このような構成であれば、前記コンセプト修正部が、前記コンセプト入力部から入力さ
れた前記ターゲットコンセプトを、前記選択された掲載情報のコンセプトに従って修正す
ることから、ユーザが希望する細かいニュアンスをより的確に反映させることができ、加
えて、前記テンプレート検索部および前記テンプレート選択部が、前記修正されたターゲ
ットコンセプトに対応するテンプレートの候補を検索し選択することから、ターゲットコ
ンセプトを前記掲載情報の選択および前記テンプレートの選択に共通的に反映させること
が可能となる。
【０００６】
ここで、本装置は、単一の端末その他の機器として実現するようにしてもよいし、複数
の端末その他の機器を通信可能に接続したネットワークシステムとして実現するようにし
てもよい。後者の場合、各構成要素は、それぞれ通信可能に接続されていれば、複数の機
器等のうちいずれに属していてもよい。以下、形態４、７および１０の書類作成支援装置
において同じである。
【０００７】
〔形態２〕  さらに、形態２の書類作成支援装置は、形態１の書類作成支援装置におい
て、
複数の利用者に関する情報を記憶する利用者情報記憶部と、
前記利用者情報記憶部で、前記ターゲットコンセプトに対応する利用者の候補を検索す
る利用者検索部と、
前記利用者の候補から前記書類データの利用を企図する利用者を選択する利用者選択部
とをさらに含み、
前記コンセプト修正部は、前記選択された利用者に関する情報に応じて前記ターゲット
コンセプトを修正することを特徴とする。
【０００８】
〔形態３〕  さらに、形態３の書類作成支援装置は、形態１の書類作成支援装置におい
て、
前記書類データ作成部は、前記ターゲットコンセプトに沿って前記書類データを出力さ
せるための出力情報を前記書類データに付加することを特徴とする。
ここで、書類データに出力情報を付加することには、書類データに出力情報を埋め込む
こと、および書類データに出力情報を関連付けることが含まれる。後者の場合、例えば、
テーブルその他のデータベースを用いて行うことができる。すなわち、書類データと出力
情報との対応付けが直接または間接的に把握できるような形態であればどのようなもので
あってもよい。以下、形態９の書類作成支援装置、形態１３の書類作成支援プログラム、
形態１７の記憶媒体、および形態２２の書類作成支援方法において同じである。
【０００９】
〔形態４〕  さらに、形態４の書類作成支援装置は、
書類データに含まれるべき、当該書類データの内容および形式の一方を規定する第１情
報および前記一方または他方を規定する第２情報を決定するためのターゲットコンセプト
を入力するためのコンセプト入力部と、
コンセプトを有する複数の第１情報を記憶する第１情報記憶部と、
コンセプトを有する複数の第２情報を記憶する第２情報記憶部と、
前記第１情報記憶部で、前記コンセプト入力部から入力された前記ターゲットコンセプ
トに対応する第１情報の候補を検索する第１情報検索部と、
前記第１情報の候補から、前記書類データに含ませることを企図する第１情報を選択す
る第１情報選択部と、
前記選択された第１情報のコンセプトに基づき、前記コンセプト入力部から入力された
前記ターゲットコンセプトを修正するコンセプト修正部と、
前記第２情報記憶部で、前記修正されたターゲットコンセプトに対応する第２情報の候
補を検索する第２情報検索部と、
前記第２情報の候補から、前記書類データに含ませることを企図する第２情報を選択す
る第２情報選択部と、
前記選択された第１情報および前記選択された第２情報から前記書類データを作成する
書類データ作成部とを含むことを特徴とする。
【００１０】
〔形態５〕  一方、上記目的を達成するために、形態５の書類作成支援プログラムは、
書類データの作成を協働して支援する、コンセプト入力部と、掲載情報検索部と、掲載
情報選択部と、コンセプト修正部と、テンプレート検索部と、テンプレート選択部と、書
類データ作成部とを有するコンピュータに、書類データの内容を規定する掲載情報および
前記書類データの形式を規定する前記テンプレートからなる前記書類データの作成を支援
させる書類作成支援プログラムであって、
前記コンセプト入力部に、前記掲載情報および前記テンプレートを決定するためのター
ゲットコンセプトを入力させる入力工程と、
前記掲載情報検索部に、前記ターゲットコンセプトに対応する掲載情報の候補を検索さ
せる第１の検索工程と、
前記掲載情報選択部に、前記掲載情報の候補から、前記書類データに含ませることを企
図する掲載情報を選択させる第１の選択工程と、
前記コンセプト修正部に、前記選択された掲載情報のコンセプトに基づき、前記ターゲ
ットコンセプトを修正させる修正工程と、
前記テンプレート検索部に、前記修正されたターゲットコンセプトに対応するテンプレ
ートの候補を検索させる第２の検索工程と、
前記テンプレート選択部に、前記テンプレートの候補から、前記書類データに含ませる
ことを企図するテンプレートを選択させる第２の選択工程と、
前記書類データ作成部に、前記選択された掲載情報および前記選択されたテンプレート
から前記書類データを作成させる作成工程とを含むことを特徴とする。
【００１１】
〔形態６〕  一方、上記目的を達成するために、形態６の書類作成支援方法は、
書類データに含まれるべき掲載情報およびテンプレートであって当該書類データの内容
を規定する前記掲載情報および前記書類データの形式を規定する前記テンプレートを決定
するためのターゲットコンセプトを入力するコンセプト入力工程と、
前記ターゲットコンセプトに対応する掲載情報の候補を検索する掲載情報検索工程と、
前記掲載情報の候補から、前記書類データに含ませることを企図する掲載情報を選択す
る掲載情報選択工程と、
前記選択された掲載情報のコンセプトに基づき、前記入力工程で入力された前記ターゲ
ットコンセプトを修正するコンセプト修正工程と、
前記修正されたターゲットコンセプトに対応するテンプレートの候補を検索するテンプ
レート検索工程と、
前記テンプレートの候補から、前記書類データに含ませることを企図するテンプレート
を選択するテンプレート選択工程と、
前記選択された掲載情報および前記選択されたテンプレートから前記書類データを作成
する書類データ作成工程とを含むことを特徴とする。
【００１２】
〔形態７〕  一方、上記目的を達成するために、形態７の書類作成支援装置は、
掲載情報およびテンプレートを抽出するためのターゲットコンセプトを入力可能なコン
セプト入力部と、
コンセプトを含む前記掲載情報を記憶する掲載情報記憶部と、
コンセプトを含む前記テンプレートを記憶するテンプレート記憶部と、
前記掲載情報記憶部のなかから、前記コンセプト入力部から入力された前記ターゲット
コンセプトに対応する掲載情報の候補を検索する掲載情報検索部と、
前記抽出された掲載情報の候補のなかから、書類データに含ませることを企図する掲載
情報を選択する掲載情報選択部と、
前記選択された掲載情報のコンセプトに基づき、前記コンセプト入力部から入力された
前記ターゲットコンセプトを修正するコンセプト修正部と、
前記テンプレート記憶部のなかから、前記修正されたターゲットコンセプトに対応する
テンプレートの候補を検索するテンプレート検索部と、
前記抽出されたテンプレートの候補のなかから、前記書類データに含ませることを企図
するテンプレートを選択するテンプレート選択部と、
前記選択された掲載情報および前記選択されたテンプレートから前記書類データを作成
する書類データ作成部とを備えることを特徴とする。
【００１３】
このような構成であれば、コンセプト入力部によりターゲットコンセプトが入力される
と、掲載情報検索部により、入力されたターゲットコンセプトに対応する掲載情報の候補
が掲載情報記憶部のなかから検索される。次いで、掲載情報選択部により、抽出された掲
載情報の候補のなかから掲載情報が選択されると、コンセプト修正部により、選択された
掲載情報のコンセプトに基づき、入力されたターゲットコンセプトが修正され、テンプレ
ート検索部により、修正されたターゲットコンセプトに対応するテンプレートの候補がテ
ンプレート記憶部のなかから検索される。そして、テンプレート選択部により、抽出され
たテンプレートの候補のなかからテンプレートが選択されると、書類データ作成部により
、選択された掲載情報およびテンプレートから書類データが作成される。
これにより、ターゲットコンセプトを掲載情報の選択およびテンプレートの選択に共通
的に反映させることができるという効果が得られる。
【００１４】
〔形態８〕  さらに、形態８の書類作成支援装置は、形態７の書類作成支援装置におい
て、
利用者に関する情報を記憶する利用者情報記憶部と、
前記利用者情報記憶部のなかから、前記ターゲットコンセプトに対応する利用者の候補
を検索する利用者検索部と、
前記利用者の候補のなかから、前記書類データの利用を企図する利用者を選択する利用
者選択部とをさらに備え、
前記コンセプト修正部は、前記選択された利用者に関する情報に応じて前記ターゲット
コンセプトを修正することを特徴とする。
【００１５】
このような構成であれば、利用者検索部により、ターゲットコンセプトに対応する利用
者の候補が利用者情報記憶部のなかから検索される。そして、利用者選択部により、利用
者の候補のなかから利用者が選択されると、コンセプト修正部により、選択された利用者
に関する情報に応じてターゲットコンセプトが修正される。
【００１６】
〔形態９〕  さらに、形態９の書類作成支援装置は、形態７の書類作成支援装置におい
て、
前記書類データ作成部は、前記ターゲットコンセプトに対応する出力情報を前記書類デ
ータに付加することを特徴とする。
このような構成であれば、書類データ作成部により、ターゲットコンセプトに対応する
出力情報が書類データに付加される。
【００１７】
〔形態１０〕  さらに、形態１０の書類作成支援装置は、
掲載情報およびテンプレートの一方である第１情報、並びに前記掲載情報および前記テ
ンプレートの他方である第２情報を抽出するためのターゲットコンセプトを入力可能なコ
ンセプト入力部と、
コンセプトを含む前記第１情報を記憶する第１情報記憶部と、
コンセプトを含む前記第２情報を記憶する第２情報記憶部と、
前記第１情報記憶部のなかから、前記コンセプト入力部から入力された前記ターゲット
コンセプトに対応する第１情報の候補を検索する第１情報検索部と、
前記抽出された第１情報の候補のなかから、書類データに含ませることを企図する第１
情報を選択する第１情報選択部と、
前記選択された第１情報のコンセプトに基づき、前記コンセプト入力部から入力された
前記ターゲットコンセプトを修正するコンセプト修正部と、
前記第２情報記憶部のなかから、前記修正されたターゲットコンセプトに対応する第２
情報の候補を検索する第２情報検索部と、
前記抽出された第２情報の候補のなかから、前記書類データに含ませることを企図する
第２情報を選択する第２情報選択部と、
前記選択された第１情報および前記選択された第２情報から前記書類データを作成する
書類データ作成部とを備えることを特徴とする。
【００１８】
このような構成であれば、コンセプト入力部によりターゲットコンセプトが入力される
と、第１情報検索部により、入力されたターゲットコンセプトに対応する第１情報の候補
が第１情報記憶部のなかから検索される。次いで、第１情報選択部により、抽出された第
１情報の候補のなかから第１情報が選択されると、コンセプト修正部により、選択された
第１情報のコンセプトに基づき、入力されたターゲットコンセプトが修正され、第２情報
検索部により、修正されたターゲットコンセプトに対応する第２情報の候補が第２情報記
憶部のなかから検索される。そして、第２情報選択部により、抽出された第２情報の候補
のなかから第２情報が選択されると、書類データ作成部により、選択された第１情報およ
び第２情報から書類データが作成される。
これにより、ターゲットコンセプトを第１情報の選択および第２情報の選択に共通的に
反映させることができるという効果が得られる。
【００１９】
〔形態１１〕  一方、上記目的を達成するために、形態１１の書類作成支援プログラム
は、
掲載情報およびテンプレートを抽出するためのターゲットコンセプトを入力するコンセ
プト入力工程と、
コンセプトを含む前記掲載情報を記憶する掲載情報記憶部のなかから、前記コンセプト
入力工程から入力された前記ターゲットコンセプトに対応する掲載情報の候補を検索する
掲載情報検索工程と、
前記抽出された掲載情報の候補のなかから、書類データに含ませることを企図する掲載
情報を選択する掲載情報選択工程と、
前記選択された掲載情報のコンセプトに基づき、前記コンセプト入力工程から入力され
た前記ターゲットコンセプトを修正するコンセプト修正工程と、
コンセプトを含む前記テンプレートを記憶するテンプレート記憶部のなかから、前記修
正されたターゲットコンセプトに対応するテンプレートの候補を検索するテンプレート検
索工程と、
前記抽出されたテンプレートの候補のなかから、前記書類データに含ませることを企図
するテンプレートを選択するテンプレート選択工程と、
前記選択された掲載情報および前記選択されたテンプレートから前記書類データを作成
する書類データ作成工程とからなる処理をコンピュータに実行させるためのプログラムを
含むことを特徴とする。
【００２０】
このような構成であれば、コンピュータによってプログラムが読み取られ、読み取られ
たプログラムに従ってコンピュータが処理を実行すると、形態７の書類作成支援プログラ
ムと同等の作用および効果が得られる。
【００２１】
〔形態１２〕  さらに、形態１２の書類作成支援プログラムは、形態１１の書類作成支
援プログラムにおいて、
利用者に関する情報を記憶する利用者情報記憶部のなかから、前記ターゲットコンセプ
トに対応する利用者の候補を検索する利用者検索工程と、
前記利用者の候補のなかから、前記書類データの利用を企図する利用者を選択する利用
者選択工程とからなる処理をコンピュータに実行させるためのプログラムをさらに含み、
前記コンセプト修正工程は、前記選択された利用者に関する情報に応じて前記ターゲッ
トコンセプトを修正することを特徴とする。
【００２２】
このような構成であれば、コンピュータによってプログラムが読み取られ、読み取られ
たプログラムに従ってコンピュータが処理を実行すると、形態８の書類作成支援プログラ
ムと同等の作用が得られる。
【００２３】
〔形態１３〕  さらに、形態１３の書類作成支援プログラムは、形態１１の書類作成支
援プログラムにおいて、
前記書類データ作成工程は、前記ターゲットコンセプトに対応する出力情報を前記書類
データに付加することを特徴とする。
このような構成であれば、コンピュータによってプログラムが読み取られ、読み取られ
たプログラムに従ってコンピュータが処理を実行すると、形態９の書類作成支援プログラ
ムと同等の作用が得られる。
【００２４】
〔形態１４〕  さらに、形態１４の書類作成支援プログラムは、
掲載情報およびテンプレートの一方である第１情報、並びに前記掲載情報および前記テ
ンプレートの他方である第２情報を抽出するためのターゲットコンセプトを入力するコン
セプト入力工程と、
コンセプトを含む前記第１情報を記憶する第１情報記憶部のなかから、前記コンセプト
入力工程から入力された前記ターゲットコンセプトに対応する第１情報の候補を検索する
第１情報検索工程と、
前記抽出された第１情報の候補のなかから、書類データに含ませることを企図する第１
情報を選択する第１情報選択工程と、
前記選択された第１情報のコンセプトに基づき、前記コンセプト入力工程から入力され
た前記ターゲットコンセプトを修正するコンセプト修正工程と、
コンセプトを含む前記第２情報を記憶する第２情報記憶部のなかから、前記修正された
ターゲットコンセプトに対応する第２情報の候補を検索する第２情報検索工程と、
前記抽出された第２情報の候補のなかから、前記書類データに含ませることを企図する
第２情報を選択する第２情報選択工程と、
前記選択された第１情報および前記選択された第２情報から前記書類データを作成する
書類データ作成工程とからなる処理をコンピュータに実行させるためのプログラムを含む
ことを特徴とする。
【００２５】
このような構成であれば、コンピュータによってプログラムが読み取られ、読み取られ
たプログラムに従ってコンピュータが処理を実行すると、形態１０の書類作成支援プログ
ラムと同等の作用および効果が得られる。
【００２６】
〔形態１５〕  さらに、形態１５の書類作成支援プログラムは、
コンピュータ読取可能な記憶媒体であって、
掲載情報およびテンプレートを抽出するためのターゲットコンセプトを入力するコンセ
プト入力工程と、
コンセプトを含む前記掲載情報を記憶する掲載情報記憶部のなかから、前記コンセプト
入力工程から入力された前記ターゲットコンセプトに対応する掲載情報の候補を検索する
掲載情報検索工程と、
前記抽出された掲載情報の候補のなかから、書類データに含ませることを企図する掲載
情報を選択する掲載情報選択工程と、
前記選択された掲載情報のコンセプトに基づき、前記コンセプト入力工程から入力され
た前記ターゲットコンセプトを修正するコンセプト修正工程と、
コンセプトを含む前記テンプレートを記憶するテンプレート記憶部のなかから、前記修
正されたターゲットコンセプトに対応するテンプレートの候補を検索するテンプレート検
索工程と、
前記抽出されたテンプレートの候補のなかから、前記書類データに含ませることを企図
するテンプレートを選択するテンプレート選択工程と、
前記選択された掲載情報および前記選択されたテンプレートから前記書類データを作成
する書類データ作成工程とからなる処理をコンピュータに実行させるためのプログラムを
記憶したことを特徴とする。
【００２７】
このような構成であれば、コンピュータによって記憶媒体からプログラムが読み取られ
、読み取られたプログラムに従ってコンピュータが処理を実行すると、形態７の書類作成
支援装置と同等の作用および効果が得られる。
【００２８】
〔形態１６〕  一方、上記目的を達成するために、形態１６の記憶媒体は、形態１５の
記憶媒体において、
利用者に関する情報を記憶する利用者情報記憶部のなかから、前記ターゲットコンセプ
トに対応する利用者の候補を検索する利用者検索工程と、
前記利用者の候補のなかから、前記書類データの利用を企図する利用者を選択する利用
者選択工程とからなる処理をコンピュータに実行させるためのプログラムをさらに記憶し
、
前記コンセプト修正工程は、前記選択された利用者に関する情報に応じて前記ターゲッ
トコンセプトを修正することを特徴とする。
【００２９】
このような構成であれば、コンピュータによって記憶媒体からプログラムが読み取られ
、読み取られたプログラムに従ってコンピュータが処理を実行すると、形態８の書類作成
支援装置と同等の作用が得られる。
【００３０】
〔形態１７〕  さらに、形態１７の記憶媒体は、形態１５の記憶媒体において、
前記書類データ作成工程は、前記ターゲットコンセプトに対応する出力情報を前記書類
データに付加することを特徴とする。
【００３１】
このような構成であれば、コンピュータによって記憶媒体からプログラムが読み取られ
、読み取られたプログラムに従ってコンピュータが処理を実行すると、形態９の書類作成
支援装置と同等の作用が得られる。
【００３２】
〔形態１８〕  さらに、形態１８の記憶媒体は、
コンピュータ読取可能な記憶媒体であって、
掲載情報およびテンプレートの一方である第１情報、並びに前記掲載情報および前記テ
ンプレートの他方である第２情報を抽出するためのターゲットコンセプトを入力するコン
セプト入力工程と、
コンセプトを含む前記第１情報を記憶する第１情報記憶部のなかから、前記コンセプト
入力工程から入力された前記ターゲットコンセプトに対応する第１情報の候補を検索する
第１情報検索工程と、
前記抽出された第１情報の候補のなかから、書類データに含ませることを企図する第１
情報を選択する第１情報選択工程と、
前記選択された第１情報のコンセプトに基づき、前記コンセプト入力工程から入力され
た前記ターゲットコンセプトを修正するコンセプト修正工程と、
コンセプトを含む前記第２情報を記憶する第２情報記憶部のなかから、前記修正された
ターゲットコンセプトに対応する第２情報の候補を検索する第２情報検索工程と、
前記抽出された第２情報の候補のなかから、前記書類データに含ませることを企図する
第２情報を選択する第２情報選択工程と、
前記選択された第１情報および前記選択された第２情報から前記書類データを作成する
書類データ作成工程とからなる処理をコンピュータに実行させるためのプログラムを記憶
したことを特徴とする。
【００３３】
このような構成であれば、コンピュータによって記憶媒体からプログラムが読み取られ
、読み取られたプログラムに従ってコンピュータが処理を実行すると、形態１０の書類作
成支援装置と同等の作用および効果が得られる。
【００３４】
〔形態１９〕  一方、上記目的を達成するために、形態１９の書類作成支援方法は、
掲載情報およびテンプレートを抽出するためのターゲットコンセプトを入力するコンセ
プト入力工程と、
コンセプトを含む前記掲載情報を記憶する掲載情報記憶部のなかから、前記コンセプト
入力工程から入力された前記ターゲットコンセプトに対応する掲載情報の候補を検索する
掲載情報検索工程と、
前記抽出された掲載情報の候補のなかから、書類データに含ませることを企図する掲載
情報を選択する掲載情報選択工程と、
前記選択された掲載情報のコンセプトに基づき、前記コンセプト入力工程から入力され
た前記ターゲットコンセプトを修正するコンセプト修正工程と、
コンセプトを含む前記テンプレートを記憶するテンプレート記憶部のなかから、前記修
正されたターゲットコンセプトに対応するテンプレートの候補を検索するテンプレート検
索工程と、
前記抽出されたテンプレートの候補のなかから、前記書類データに含ませることを企図
するテンプレートを選択するテンプレート選択工程と、
前記選択された掲載情報および前記選択されたテンプレートから前記書類データを作成
する書類データ作成工程とを含むことを特徴とする。
これにより、形態７の書類作成支援装置と同等の効果が得られる。
【００３５】
〔形態２０〕  さらに、形態２０の書類作成支援方法は、
入力部が、掲載情報およびテンプレートを抽出するためのターゲットコンセプトを入力
するコンセプト入力工程と、
検索部が、コンセプトを含む前記掲載情報を記憶する掲載情報記憶部のなかから、前記
コンセプト入力工程から入力された前記ターゲットコンセプトに対応する掲載情報の候補
を検索する掲載情報検索工程と、
選択部が、前記抽出された掲載情報の候補のなかから、書類データに含ませることを企
図する掲載情報を選択する掲載情報選択工程と、
処理部が、前記選択された掲載情報のコンセプトに基づき、前記コンセプト入力工程か
ら入力された前記ターゲットコンセプトを修正するコンセプト修正工程と、
前記検索部が、コンセプトを含む前記テンプレートを記憶するテンプレート記憶部のな
かから、前記修正されたターゲットコンセプトに対応するテンプレートの候補を検索する
テンプレート検索工程と、
前記選択部が、前記抽出されたテンプレートの候補のなかから、前記書類データに含ま
せることを企図するテンプレートを選択するテンプレート選択工程と、
作成部が、前記選択された掲載情報および前記選択されたテンプレートから前記書類デ
ータを作成する書類データ作成工程とを含むことを特徴とする。
これにより、形態７の書類作成支援装置と同等の効果が得られる。
【００３６】
〔形態２１〕  さらに、形態２１の書類作成支援方法は、形態１９の書類作成支援方法
において、
利用者に関する情報を記憶する利用者情報記憶部のなかから、前記ターゲットコンセプ
トに対応する利用者の候補を検索する利用者検索工程と、
前記利用者の候補のなかから、前記書類データの利用を企図する利用者を選択する利用
者選択工程とをさらに含み、
前記コンセプト修正工程は、前記選択された利用者に関する情報に応じて前記ターゲッ
トコンセプトを修正することを特徴とする。
【００３７】
〔形態２２〕  さらに、形態２２の書類作成支援方法は、形態１９の書類作成支援方法
において、
前記書類データ作成工程は、前記ターゲットコンセプトに対応する出力情報を前記書類
データに付加することを特徴とする。
【００３８】
〔形態２３〕  さらに、形態２３の書類作成支援方法は、
掲載情報およびテンプレートの一方である第１情報、並びに前記掲載情報および前記テ
ンプレートの他方である第２情報を抽出するためのターゲットコンセプトを入力するコン
セプト入力工程と、
コンセプトを含む前記第１情報を記憶する第１情報記憶部のなかから、前記コンセプト
入力工程から入力された前記ターゲットコンセプトに対応する第１情報の候補を検索する
第１情報検索工程と、
前記抽出された第１情報の候補のなかから、書類データに含ませることを企図する第１
情報を選択する第１情報選択工程と、
前記選択された第１情報のコンセプトに基づき、前記コンセプト入力工程から入力され
た前記ターゲットコンセプトを修正するコンセプト修正工程と、
コンセプトを含む前記第２情報を記憶する第２情報記憶部のなかから、前記修正された
ターゲットコンセプトに対応する第２情報の候補を検索する第２情報検索工程と、
前記抽出された第２情報の候補のなかから、前記書類データに含ませることを企図する
第２情報を選択する第２情報選択工程と、
前記選択された第１情報および前記選択された第２情報から前記書類データを作成する
書類データ作成工程とを含むことを特徴とする。
これにより、形態１０の書類作成支援装置と同等の効果が得られる。
【００３９】
〔形態２４〕  さらに、形態２４の書類作成支援方法は、
入力部が、掲載情報およびテンプレートの一方である第１情報、並びに前記掲載情報お
よび前記テンプレートの他方である第２情報を抽出するためのターゲットコンセプトを入
力するコンセプト入力工程と、
検索部が、コンセプトを含む前記第１情報を記憶する第１情報記憶部のなかから、前記
コンセプト入力工程から入力された前記ターゲットコンセプトに対応する第１情報の候補
を検索する第１情報検索工程と、
選択部が、前記抽出された第１情報の候補のなかから、書類データに含ませることを企
図する第１情報を選択する第１情報選択工程と、
処理部が、前記選択された第１情報のコンセプトに基づき、前記コンセプト入力工程か
ら入力された前記ターゲットコンセプトを修正するコンセプト修正工程と、
前記検索部が、コンセプトを含む前記第２情報を記憶する第２情報記憶部のなかから、
前記修正されたターゲットコンセプトに対応する第２情報の候補を検索する第２情報検索
工程と、
前記選択部が、前記抽出された第２情報の候補のなかから、前記書類データに含ませる
ことを企図する第２情報を選択する第２情報選択工程と、
作成部が、前記選択された第１情報および前記選択された第２情報から前記書類データ
を作成する書類データ作成工程とを含むことを特徴とする。
これにより、形態１０の書類作成支援装置と同等の効果が得られる。
【発明を実施するための最良の形態】
【００４０】
本発明に係る書類作成支援装置の実施例について図面を参照して説明する。
【実施例１】
【００４１】
《構成》
図１は、実施例の書類作成支援装置の構成を示すブロック図である。実施例の書類作成
支援装置１は、書類データに基づいて書類を印刷等するための出力装置５（例えば、イン
クジェットプリンタ、プロジェクタ等）に接続されており、書類作成支援装置１のユーザ
、すなわちデザイナが、コンセプトＣＯのうち当該デザイナの所望するもの（以下、ター
ゲットコンセプトＴＣＯという。）（作成者がデザイン上で意図する概念、観念、思想、
着想、および方向性等）に沿った、掲載情報ＩＮおよびテンプレートＴＥを含む書類デー
タＤＣを作成することを支援すべく、情報交換ユニット２と、処理ユニット３と、記憶ユ
ニット４とから構成されている。コンセプトＣＯは、より具体的には、書類を読んでもら
う顧客のターゲット（以下、「ターゲット」と略称する。）、書類作成の目的（以下、「
目的」と略称する。）、書類全体の雰囲気（以下、「雰囲気」と略称する。）からなる。
【００４２】
ここで、「書類データ」とは、文書データおよび図面データの総称であり、また、従来
知られた印刷方法により紙等の印刷媒体に印刷されるか、ＣＲＴ（Cathode Ray Tube）、
液晶、電子ペーパーのような表示媒体に表示されるか、または電磁的方法によりフレキシ
ブル・ディスク等の記録媒体に記録されるかを問わない。また、「書類」とは、文書およ
び図面の総称であり、文字や画像等の情報が印刷された印刷媒体、文字や画像等の情報が
表示された表示媒体、または文字や画像等の情報が記録された記録媒体をいう。すなわち
、書類データに基づいて出力された結果物である。
【００４３】
情報交換ユニット２は、コンセプト入力部として機能し、書類作成支援装置１およびデ
ザイナ間でのターゲットコンセプトＴＣＯ、掲載情報ＩＮ、テンプレートＴＥ、および顧
客情報ＣＬのやりとりを可能にすべく、入力・選択部２０と、表示部２１とを有する。入
力・選択部２０は、例えば、キーボード、マウス、タッチパネル、タブレットのような入
力インターフェイスであり、デザイナが、前記ターゲットコンセプトＴＣＯを入力するた
めに、および前記ターゲットコンセプトＴＣＯに従って検索された掲載情報ＩＮ、テンプ
レートＴＥ、および顧客情報ＣＬの候補の中から所望の掲載情報ＩＮ、テンプレートＴＥ
および顧客情報ＣＬを選択するために用いられる。
【００４４】
表示部２１は、例えば、液晶モニタ、ＣＲＴ（Cathode Ray Tube）モニタのような表示
インターフェィスであり、掲載情報ＩＮ、テンプレートＴＥ、および顧客情報ＣＬの候補
を表示する。
処理ユニット３は、情報交換ユニット２から入力されるターゲットコンセプトＴＣＯお
よび入力・選択部２０により選択された掲載情報ＩＮおよびテンプレートＴＥに含まれる
コンセプトＣＯに従って、入力・選択部２０から入力されたターゲットコンセプトＴＣＯ
に修正を施すべく、例えば、ＣＰＵ（Central Processing Unit）および論理回路からな
る、制御部３０と、検索部３１と、処理部３２と、作成部３３とを有する。
【００４５】
制御部３０は、検索部３１、処理部３２、作成部３３の動作を制御し、また、書類作成
支援装置１全体の動作を制御する。
検索部３１は、掲載情報検索部、テンプレート検索部、利用者検索部として機能し、（
１）デザイナにより情報交換ユニット２から入力されたターゲットコンセプトＴＣＯに基
づいて、掲載情報記憶部４０に記憶されている複数の掲載情報ＩＮを検索し、（２）前記
入力されたまたは修正されたターゲットコンセプトＴＣＯに基づいて、テンプレート記憶
部４１に記憶されている複数のテンプレートＴＥを検索し、（３）前記入力されたまたは
修正されたターゲットコンセプトＴＣＯに基づいて、顧客情報記憶部４２に記憶されてい
る複数の顧客情報ＣＬを検索する。
【００４６】
処理部３２は、コンセプト修正部として機能し、入力・選択部２０により選択された掲
載情報ＩＮまたはテンプレートＴＥまたは顧客情報ＣＬに含まれるコンセプトＣＯに従っ
て、入力・選択部２０から入力された前記ターゲットコンセプトＴＣＯを修正する。
作成部３３は、書類データ作成部として機能し、検索部３１により検索された掲載情報
ＩＮおよびテンプレートＴＥを用いて書類データＤＣを作成する。
【００４７】
記憶ユニット４は、例えば、ハードディスクおよびフレキシブルディスクのような記録
媒体からなり、掲載情報記憶部４０と、テンプレート記憶部４１と、顧客情報記憶部４２
と、プログラム記憶部４３と、コンセプト記憶部４４とを有する。掲載情報記憶部４０は
、複数の掲載情報ＩＮからなる掲載情報データベースを記憶しており、テンプレート記憶
部４１は、複数のテンプレートＴＥからなるテンプレートデータベースを記憶しており、
顧客情報記憶部４２は、複数の顧客情報ＣＬからなる顧客情報データベースを記憶してお
り、プログラム記憶部４３は、ユニット１〜３に書類作成支援のための処理を行わせるた
めのプログラムＰＲを記憶している。コンセプト記憶部４４は、入力・選択部２０から入
力されたターゲットコンセプトＴＣＯを記憶し、また、後述されるような修正されたター
ゲットコンセプトＴＣＯを適宜記憶し、すなわち、図１６に示されるような当初のターゲ
ットコンセプトＴＣＯ（工程Ｓ１１）および修正されていくターゲットコンセプトＴＣＯ
（工程Ｓ１４、Ｓ１７、Ｓ２０）を記憶する。ここで、上記した「複数」は、１または２
以上の数を表すために用いられ、１を排除することを表すために用いられているのではな
い（以下、同様。）。
【００４８】
図２、図３、図４は、掲載情報、テンプレート、顧客情報の内容を示す。掲載情報ＩＮ
は、図２（Ａ）に示されるように、掲載情報番号、図または文、および、数値化されたタ
ーゲット、目的、雰囲気からなり、掲載情報データベースＩＮ＿ＤＢを構成する複数の掲
載情報ＩＮ１〜ＩＮｍ（ｍは、任意の正の整数）のうち、例えば、掲載情報ＩＮ１は、図
２（Ｂ）に示されるように、第１図を含み、ターゲット「２０代」＝０．８、ターゲット
「男性」＝０．７であり、目的は不定であり、雰囲気「シック」＝０．６、雰囲気「迫力
のある」＝０．８である。
【００４９】
テンプレートＴＥは、図３（Ａ）に示されるように、テンプレート番号、型（掲載情報
の配置に関する情報）、ターゲット、目的、雰囲気からなり、テンプレートデータベース
ＴＥ＿ＤＢを構成する複数のテンプレートＴＥ１〜ＴＥｎ（ｎは、任意の正の整数）のう
ち、例えばテンプレートＴＥ１は、図３（Ｂ）に示されるように、第１の型、目的「情報
提供」＝０．６、雰囲気「迫力のある」＝０．８、雰囲気「シック」＝０．６を含む。
【００５０】
顧客情報ＣＬは、図４（Ａ）に示されるように、顧客番号、顧客名、住所、ターゲット
、目的、雰囲気からなり、顧客情報データベースＣＬ＿ＤＢを構成する複数の顧客情報Ｃ
Ｌ１〜ＣＬｋ（ｋは、任意の正の整数）のうち、例えば顧客情報ＣＬ１は、顧客名「山田
」、住所「山梨県」、ターゲット「２０代」、ターゲット「女性」、雰囲気「プリティ」
＝０．３、雰囲気「面白い」＝０．３、雰囲気「エレガント」＝０．１を含む。
《動作》
図５および図６は、実施例の書類作成支援装置１の動作を示すフローチャートである。
以下、実施例の書類作成支援装置１の動作を図５および図６のフローチャートに沿って説
明する。
【００５１】
制御部３０は、図示しないＲＯＭの所定領域に格納されている所定のプログラムを起動
させ、そのプログラムに従って、図５および図７のフローチャートに示す処理を実行する
。
工程Ｓ１０：ユーザは、入力・選択部２０により、ターゲットコンセプトＴＣＯとして
、ターゲット、目的、雰囲気を入力する。ユーザは、より正確には、図７に示されるよう
に、表示部２１に表示された項目の中から、ターゲットの年齢および性別として、「２０
代」、「女性」を選択し、目的として、「広告・販売促進」を選択し、雰囲気として、「
エレガント」を選択する（図７で黒四角は、選択の旨を示す）。
【００５２】
工程Ｓ１１：処理部３２は、選択されたターゲット、目的、雰囲気の初期値として、年
齢「２０代」＝１．０、性別「女性」＝１．０、目的「広告・販売促進」＝１．０、雰囲
気「エレガント」＝１．０と点数を付ける。
工程Ｓ１２：検索部３１は、前記入力されたターゲットコンセプトＴＣＯ、すなわち、
ターゲットの年齢「２０代」、ターゲットの性別「女性」、目的「広告・販売促進」、雰
囲気「エレガント」に基づき顧客情報記憶部４２内の顧客情報データベースＣＬ＿ＤＢを
検索することにより、前記ターゲットコンセプトＴＣＯに合致する顧客情報ＣＬ１、ＣＬ
３、ＣＬ８、ＣＬ１０、ＣＬ１４を抽出する。制御部３０は、図８に示されるように、当
該５つの顧客情報ＣＬ１、ＣＬ３、ＣＬ８、ＣＬ１０、ＣＬ１４を表示部２１に表示する
。ユーザが、顧客情報ＣＬ１、ＣＬ３、ＣＬ８、ＣＬ１０、ＣＬ１４を元に後続の工程Ｓ
１３を実行することが望ましくないと判断するときには、工程Ｓ１０に戻り、それ以外の
ときには工程Ｓ１３に進む。
【００５３】
工程Ｓ１３：ユーザは、自らの判断により、例えば、顧客情報ＣＬ１、ＣＬ８を選択す
る（図８で、黒丸は、選択の旨を示す）。
工程Ｓ１４：処理部３２は、ターゲットコンセプトＴＣＯの点数を修正し、すなわち、
工程Ｓ１１でのターゲット、目的、雰囲気の点数、および工程Ｓ１３で選択された顧客情
報ＣＬ１、ＣＬ８のターゲット、目的、雰囲気の点数を用いて、ターゲット、目的、雰囲
気の点数を修正する。処理部３２は、より具体的には、工程Ｓ１１での年齢「２０代」が
１．０であり、工程Ｓ１３で選択された顧客情報ＣＬ１、ＣＬ８の「年齢」が、図４（Ｂ
）に示されるように「２０代」であることから、年齢「２０代」＝１．０と再設定し、同
様にして、性別「女性」＝１．０に再設定し、目的「広告・販売促進」＝１．０に再設定
する。
【００５４】
他方で、工程Ｓ１１での雰囲気「エレガント」＝１．０であり、工程Ｓ１３で選択され
た顧客情報ＣＬ１の雰囲気「エレガント」＝０．１であり、顧客情報ＣＬ８の雰囲気「エ
レガント」＝０．３であることから、例えば、工程Ｓ１１での雰囲気の数値を２分の１に
し、工程Ｓ１３での雰囲気の数値の平均を２分の１にし、当該両２分の１後値の合算値を
、修正後の雰囲気の値として用い、これにより、雰囲気「エレガント」＝０．６（＝１．
０／２＋（０．１＋０．３）／２／２）に再設定する。
【００５５】
処理部３２は、さらに、顧客情報ＣＬ１の雰囲気「プリティ」＝０．３であることから
、雰囲気「プリティ」＝０．３に設定し、同様にして、顧客情報ＣＬ１の雰囲気「面白い
」＝０．３であり、顧客情報ＣＬ８の雰囲気「面白い」＝０．７であることから、雰囲気
「面白い」＝０．５（＝（０．３＋０．７）／２）に設定する。すなわち、工程Ｓ１１お
よびＳ１４間で、ターゲット（年齢、性別）、目的、雰囲気の数値は、図１６に示される
ように修正される。
【００５６】
前記した設定の後、修正後のターゲット、目的、雰囲気に基づき再び顧客情報データベ
ースＣＬ＿ＤＢを検索するときには工程Ｓ１２に戻り、それ以外のときには工程Ｓ１４に
進む。
工程Ｓ１５：検索部３１は、修正されたターゲットコンセプトＴＣＯに基づき、掲載情
報データベースＩＮ＿ＤＢを検索することにより、修正されたターゲットコンセプトＴＣ
Ｏに合致する掲載情報ＩＮ１、ＩＮ３、ＩＮ４、ＩＮ６、ＩＮ７、ＩＮ１０、ＩＮ１２、
ＩＮ１５を抽出する。制御部３０は、図９に示されるように、当該抽出された掲載情報Ｉ
Ｎ１、ＩＮ３、ＩＮ４、ＩＮ６、ＩＮ７、ＩＮ１０、ＩＮ１２、ＩＮ１５を表示部２１に
表示する。
【００５７】
工程Ｓ１６：ユーザは、自らの意思により、掲載情報ＩＮ４（第３図）、掲載情報ＩＮ
７（第５図）、および掲載情報ＩＮ１２（第２文）を選択する（図９で、黒丸は、選択の
旨を示す）。
工程Ｓ１７：処理部３２は、ターゲットコンセプトＴＣＯの点数を修正し、すなわち、
工程Ｓ１４でのターゲット、目的、雰囲気の点数を工程Ｓ１６で選択された掲載情報ＩＮ
４、ＩＮ７、ＩＮ１２のターゲット、目的、雰囲気の点数を用いて修正する。処理部３２
は、より詳細には、工程Ｓ１４での年齢「２０代」＝１．０であり、選択された掲載情報
ＩＮ４、ＩＮ７、ＩＮ１２の年齢「２０代」＝１．０、０．８、０．６であることから、
年齢「２０代」＝０．９（＝１．０／２＋（１．０＋０．８＋０．６）／３／２）を再設
定する。処理部３２は、工程Ｓ１４に年齢「１０代」が無く、掲載情報ＩＮ７の年齢「１
０代」＝０．４であることから、年齢「１０代」＝０．４をそのまま設定する。
【００５８】
処理部３２は、同様にして、性別「女性」＝０．８、性別「男性」＝０．２、目的「広
告・販売促進」＝１．０、雰囲気「エレガント」＝０．７、雰囲気「プリティ」＝０．４
、雰囲気「面白い」＝０．６、雰囲気「ゴージャス」＝０．８、雰囲気「迫力のある」＝
０．７に設定する。すなわち、工程Ｓ１４および工程Ｓ１７間で、ターゲット、目的、雰
囲気の数値は、図１６に示されるように、修正される。前記した設定の後、修正後のター
ゲットコンセプトＴＣＯに基づき改めて掲載情報データベースＩＮ＿ＤＢを検索するとき
には工程Ｓ１５に戻り、それ以外のときには工程Ｓ１８に進む。
【００５９】
工程Ｓ１８：検索部３１は、修正されたターゲットコンセプトＴＣＯに基づき、テンプ
レートデータベースＴＥ＿ＤＢを検索することにより、前記ターゲットコンセプトＴＣＯ
に合致したテンプレートＴＥ１、ＴＥ３、ＴＥ９を抽出する。制御部３０は、図１０に示
されるように、当該抽出されたテンプレートＴＥ１、ＴＥ３、ＴＥ９を表示部２１に表示
する。
【００６０】
工程Ｓ１９：ユーザは、入力・選択部２０により、自らの意思で、テンプレートＴＥ３
（第２型）を選択する（図１０で、黒丸は、選択の旨を示す）。
工程Ｓ２０：処理部３２は、工程Ｓ１４、Ｓ１７と同様な手順により、すなわち、工程
Ｓ１７でのターゲット、目的、雰囲気の数値を、工程Ｓ１９で選択されたテンプレートＴ
Ｅ３のターゲット、目的、雰囲気の数値を用いて修正し、これにより、年齢「２０代」＝
０．９、年齢「１０代」＝０．４、性別「女性」＝０．８、性別「男性」＝０．２、目的
「広告・販売促進」＝０．８、目的「情報提供」＝０．８、雰囲気「エレガント」＝０．
８、雰囲気「プリティ」＝０．４、雰囲気「面白い」＝０．６、雰囲気「ゴージャス」＝
０．８、雰囲気「迫力のある」＝０．７を設定する。ターゲット、目的、雰囲気の数値は
、工程Ｓ１７および工程２０間で、図１６に示されるように修正される。前記の設定後、
修正後のターゲットコンセプトＴＣＯに基づき改めてテンプレートデータベースＴＥ＿Ｄ
Ｂを検索するときには工程Ｓ１８に戻り、それ以外のときには工程Ｓ２１に進む。
【００６１】
工程Ｓ２１：作成部３３は、選択された掲載情報ＩＮ４、ＩＮ７、ＩＮ１２および選択
されたテンプレートＴＥ３を用いて書類データＤＣを作成する。具体的には、作成部３３
は、（１）図１１に示されるように、テンプレートＴＥ３における、掲載情報ＩＮを配置
するための枠に掲載情報ＩＮ４、ＩＮ７、ＩＮ１２を配置し、（２）図１２に示されるよ
うに、テンプレートＴＥ３における、空きスペース（空間、余白）が広いと判断するとき
には、検索部３１および入力・選択部２０による工程Ｓ１５、Ｓ１６の実行により、掲載
情報ＩＮ４、ＩＮ７、ＩＮ１２以外の他の掲載情報ＩＮａを補充し、（３）図１３に示さ
れるように、例えば、掲載情報ＩＮａが表す画像「月」の色調を他の掲載情報ＩＮ４が表
す画像の色調に合わせ、また、掲載情報ＩＮ１２の可読性を向上させるために文字と文字
の背景とを補色関係にし、或いは、文字の明度を上げる。
【００６２】
工程Ｓ２２：作成部３３は、書類データＤＣの全体を調整する。作成部３３は、例えば
、雰囲気「エレガント」の観点から、図１４に示されるように、書類データＤＣの対象性
、規則性を重視して掲載情報ＩＮ４、ＩＮ７、ＩＮａの位置を調整し、或いは、「エレガ
ント」を損なうおそれがある高彩度および低彩度を避ける調整を行う。また、作成部３３
は、例えば、雰囲気「シック」の観点から、明度を抑える調整を行う。作成部３３は、当
該雰囲気と調整との対応付けを、例えば、知識データベースとしてあらかじめ記憶してい
る（図示せず）。
【００６３】
工程Ｓ２３：作成部３３は、出力装置５に、ターゲットコンセプトＴＣＯに沿って書類
データＤＣを出力させるべく、図１５に示されるように、当該出力に必要な出力情報ＯＵ
Ｔを書類データＤＣに付加する。作成部３３は、具体的には、例えば、雰囲気「エレガン
ト」については、書類データＤＣ全体の光沢度を上げるべく、光沢インクの使用を指示し
または定着速度を落とす旨を指示し、他方、雰囲気「面白い」については、意外性を得る
べく、彩度が最も大きい任意の領域に蛍光色を塗る旨を指示する。
【００６４】
工程Ｓ２４：作成部３３は、書類データＤＣを出力装置５に出力し、出力装置５は、出
力情報ＯＵＴおよび書類データＤＣに従って書類を印刷等する。
《効果》
上述したように、実施例の書類作成支援装置１では、図１６に示されるように、処理部
３２が、ターゲットコンセプトＴＣＯ、すなわち、ターゲット、目的、雰囲気の数値を、
例えば、顧客情報ＣＬに含まれるターゲット、目的、雰囲気の数値に従って修正し、検索
部３１が、当該修正されたターゲットコンセプトＴＣＯに基づき掲載情報ＩＮを検索し、
さらに、処理部３２が、ターゲットコンセプトＴＣＯを当該掲載情報ＩＮに基づき再び修
正し、検索部３１が、前記再修正されたターゲットコンセプトＴＣＯに基づきテンプレー
トＴＥを検索し、他方で、前記検索された顧客情報ＣＬ、掲載情報ＩＮ、テンプレートＴ
Ｅのうち、入力・選択部２０によりユーザが所望の顧客情報ＣＬ、掲載情報ＩＮ、テンプ
レートＴＥを選択することから、ユーザが望むターゲットコンセプトＴＣＯの細かいニュ
アンスを当該顧客情報ＣＬ、掲載情報ＩＮ、テンプレートＴＥの選択に共通的に反映させ
ることができ、しかも、当該細かいニュアンスを前記顧客情報ＣＬ、掲載情報ＩＮ、テン
プレートＴＥの選択に反映させることができる。
【００６５】
上記したような、顧客情報ＣＬ、掲載情報ＩＮ、テンプレートＴＥの順序で検索および
選択並びにターゲットコンセプトＴＣＯの修正を行うことに代えて、顧客情報ＣＬを何ら
検索することなく、掲載情報ＩＮ、テンプレートＴＥの検索および選択並びにターゲット
コンセプトＴＣＯの修正を行うことによっても、上記したと同様な効果をえることができ
、また、顧客情報ＣＬ、テンプレートＴＥ、掲載情報ＩＮの順序で検索および選択並びに
ターゲットコンセプトＴＣＯの修正を行うことによっても、上記したと同様な効果をえる
ことができる。
【００６６】
上記したように記憶ユニット４を書類作成支援装置１の内部に配置することに代えて、
例えば、クライアントサーバシステムにおいて、サーバ内に配置し、他方で、記憶ユニッ
ト４を有しない書類作成支援装置をクライアント内に配置することによっても、上記した
と同様な効果をえることができる。
上記したように入力・選択部２０および表示部２１の協働による表示、入力、および選
択に代えて、例えば、多機能印刷装置（ＭＦＰ：Multi Function Printer）において、ス
キャナにより、図７〜図１０に図示のような情報が記載された用紙であるオーダーシート
を読み取らせることによっても、上記したと同様な効果を得ることができる。
《他の実施例》
なお、上記実施の形態において、顧客情報ＣＬは、顧客番号、顧客名、住所、ターゲッ
ト、目的、雰囲気に関する情報を含んで構成したが、これに限らず、嗜好（好きな食べ物
、タレント、テレビ番組など）、マーケティング手法により分類された分類に関する情報
を含んで構成することもできる。ここで、マーケティング手法により分類された分類とは
、一般に顧客分類（性別、年齢などの顧客基礎情報によるグルーピング、ＲＦＭ分析によ
る分類など）と呼ばれる分類のことである。ＲＦＭ（Recency Frequency Monetary）分析
については、例えば、「http://www.atmarkit.co.jp/aig/04biz/rfm.html」（２００４年
１２月１５日現在）のホームページに詳しく掲載されている。
【００６７】
また、上記実施の形態においては、書類作成支援装置１を一体の装置として構成したが
、これに限らず、書類作成支援装置１が有する機能を、ホスト端末１００とサーバ２００
をネットワークで接続したネットワークシステムの機能として実現することもできる。具
体的には、次の３つの構成を提案することができる。
まず、第１の構成を説明する。
【００６８】
図１７は、主たる機能をサーバ２００に設けた場合のネットワークシステムの構成を示
すブロック図である。
ホスト端末１００は、図１７に示すように、入力・選択部２０および表示部２１のほか
、ネットワークを介してサーバ２００と通信を行う図示しない通信部を有して構成されて
いる。
【００６９】
サーバ２００は、制御部３０、検索部３１、処理部３２、作成部３３、掲載情報記憶部
４０、テンプレート記憶部４１、顧客情報記憶部４２、プログラム記憶部４３およびコン
セプト記憶部４４のほか、ネットワークを介してホスト端末１００および出力装置５と通
信を行う図示しない通信部を有して構成されている。
これにより、ホスト端末１００の処理負荷が低減されるので、携帯電話やＰＤＡ（Pers
onal Digital Assistant）のようなデバイスをホスト端末１００として利用することがで
きる。
【００７０】
次に、第２の構成を説明する。
図１８は、主たる機能をホスト端末１００に設けた場合のネットワークシステムの構成
を示すブロック図である。
ホスト端末１００は、図１８に示すように、入力・選択部２０、表示部２１、制御部３
０、検索部３１、処理部３２、掲載情報記憶部４０、テンプレート記憶部４１、顧客情報
記憶部４２、プログラム記憶部４３およびコンセプト記憶部４４のほか、ネットワークを
介してサーバ２００と通信を行う図示しない通信部を有して構成されている。
【００７１】
サーバ２００は、制御部３０、作成部３３およびプログラム記憶部４３のほか、ネット
ワークを介してホスト端末１００および出力装置５と通信を行う図示しない通信部を有し
て構成されている。
このような構成であれば、掲載情報、テンプレート、顧客情報、コンセプトなどのデー
タをすべてホスト端末１００が持っており、サーバ２００は、ホスト端末１００で選択さ
れた掲載情報、テンプレート、コンセプトに基づいて書類データＤＣを作成する。
【００７２】
これにより、情報をホスト端末１００が持つので、不必要な情報を出したくないユーザ
にとって好ましい構成となる。また、サーバ２００と出力装置５をセットにして、サーバ
２００の作成部３３は、出力装置５に関する情報を備え、その情報に基づいて出力装置５
を利用することにより、各出力装置５ごとに、その出力装置５の特性に応じた作成処理を
サーバ２００において行なうことができる。ホスト端末１００は、出力装置５の特性に関
する情報を保持しなくても、出力装置５とセットになったサーバ２００を選択することに
より所望の出力を得ることができる。
【００７３】
次に、第３の構成を説明する。
図１９は、ホスト端末１００およびサーバ２００に機能を同程度に分散して設けた場合
のネットワークシステムの構成を示すブロック図である。
ホスト端末１００は、図１９に示すように、入力・選択部２０、表示部２１、制御部３
０、検索部３１、掲載情報記憶部４０、テンプレート記憶部４１、顧客情報記憶部４２お
よびプログラム記憶部４３のほか、ネットワークを介してサーバ２００と通信を行う図示
しない通信部を有して構成されている。
【００７４】
サーバ２００は、制御部３０、処理部３２、作成部３３、プログラム記憶部４３および
コンセプト記憶部４４のほか、ネットワークを介してホスト端末１００および出力装置５
と通信を行う図示しない通信部を有して構成されている。
これにより、ユーザとのインタラクションに関する処理をホスト端末１００で行うので
、ユーザに対する反応が速くなる構成となる。また、コンセプトに関する処理をサーバ２
００で行うので、処理負荷が大きい複雑な知識処理を行なうことや、よりよいアルゴリズ
ムへの変更をユーザに意識させること無く容易に行なうことができる。さらに、顧客情報
などの情報をサーバが記憶しないので、不必要な情報を出したくないユーザにとっても好
ましい構成となる。
【００７５】
また、上記実施の形態においては、顧客情報ＣＬ１、ＣＬ８のターゲット、目的、雰囲
気の点数を用いて、ターゲットコンセプトＴＣＯの点数を修正するように構成したが、こ
れに限らず、次のような修正方法を採用することもできる。
図２０は、顧客情報ＣＬに基づいてターゲットコンセプトＴＣＯを修正するターゲット
コンセプト修正処理を示すフローチャートである。
【００７６】
ターゲットコンセプト修正処理は、工程Ｓ１４に代えて実行される処理であって、図２
０に示すように、まず、工程Ｓ３０に移行する。以下の処理では、図４（Ｂ）におけるタ
ーゲット、目的、雰囲気の「２０代」、「女性」、「プリティ」等や図１６における年齢
、性別、目的、雰囲気の「２０代」、「女性」、「広告・販売促進」等を属性名とし、そ
れに対応付けられている値を属性値とする。
【００７７】
工程Ｓ３０では、選択された顧客情報ＣＬに含まれるコンセプトＣＯをすべてテンポラ
リコンセプトＴＭＰに読み込み、工程Ｓ３２に移行して、テンポラリコンセプトＴＭＰの
なかから、属性名が同一の属性データ（属性名ＴＭＰｎと属性値ＴＭＰｖのセットをいう
。）を検索し、属性名が同一の属性データについて属性値の平均を算出し、工程Ｓ３４に
移行する。
【００７８】
工程Ｓ３４では、テンポラリコンセプトＴＭＰから属性データを１つ取得できるか否か
を判定し、属性データを取得できたと判定したとき(Yes)は、工程Ｓ３６に移行する。
工程Ｓ３６では、取得した属性データに基づいて、属性名が一致する属性データがター
ゲットコンセプトＴＣＯに含まれているかを判定し、属性名が一致する属性データが含ま
れていると判定したとき(Yes)は、工程Ｓ３８に移行して、ターゲットコンセプトＴＣＯ
の該当の属性値ＴＣＯｖと、取得した属性データの属性値ＴＭＰｖの平均値を算出し、タ
ーゲットコンセプトＴＣＯの新たな属性値ＴＣＯｖとして設定し、工程Ｓ３４に移行する
。
【００７９】
一方、工程Ｓ３６で、属性名が一致する属性データがターゲットコンセプトＴＣＯに含
まれていないと判定したとき(No)は、工程Ｓ４０に移行して、取得した属性データをター
ゲットコンセプトＴＣＯに追加し、工程Ｓ３４に移行する。
一方、工程Ｓ３４で、テンポラリコンセプトＴＭＰから属性データを取得できないと判
定したとき(No)は、一連の処理を終了して元の処理に復帰させる。
【００８０】
次に、実施例を説明する。
工程Ｓ１３では、顧客情報ＣＬ１、ＣＬ８が選択されたとする。
まず、選択された顧客情報のコンセプトＣＯからテンポラリコンセプトＴＭＰが算出さ
れる。
顧客情報ＣＬ１が、２０代=１．０、女性＝１．０、プリティ＝０．３、 面白い＝０．
３、 エレガント＝０．１であり、顧客情報ＣＬ８が、２０代＝１．０、 女性＝１．０、
面白い＝０．７、 エレガント＝０．３であるので、これらがすべてテンポラリコンセプ
トＴＭＰに読み込まれる。テンポラリコンセプトＴＭＰは、２０代＝１．０、 女性＝１
．０、 プリティ＝０．３、 面白い＝０．３、 エレガント＝０．１、 ２０代＝１．０、
女性＝１．０、 面白い＝０．７、 エレガント＝０．３となる。
【００８１】
次いで、テンポラリコンセプトＴＭＰから属性名が同じ属性データを見つけながら属性
値の平均を求めていく。
まず、「２０代」であるが、「２０代」は２つあって、属性値は１．０と１．０なので
、（１．０＋１．０）／２＝ １．０となる。次は、同様に「女性」も１．０となる。さ
らに次に「プリティ」は１つしかないので、そのままであり、「面白い」は２つあって０
．３と０．７なので、(０．３＋０．７)／２＝０．５、「エレガント」も同様に(０．１
＋０．３)／２＝０．２、すなわち、テンポラリコンセプトＴＭＰは、２０代＝１．０、 
女性＝１．０、 プリティ＝０．３、 面白い＝０．５、 エレガント＝０．２となる。
【００８２】
次いで、テンポラリコンセプトＴＭＰから属性データを１つずつ取得しながら、ターゲ
ットコンセプトＴＣＯに合成していく。
処理前のターゲットコンセプトＴＣＯは、２０代＝１．０、 女性＝１．０、 広告・販
売促進＝１．０、 エレガント＝１．０であったので、ターゲットコンセプトＴＣＯは、
合成された属性（平均を計算された属性）が「２０代」、「女性」、「エレガント」であ
り、ターゲットコンセプトＴＣＯに存在しなかったので追加された属性が「プリティ」、
「面白い」である。また、テンポラリコンセプトＴＭＰに存在しなかったので処理されな
かったのが「広告・販売促進」であり、結果として、ターゲットコンセプトＴＣＯは、２
０代＝１．０、 女性＝１．０、 広告・販売促進＝１．０、 プリティ＝０．３、 面白い
＝０．５、 エレガント＝０．６となる。
【００８３】
また、上記実施の形態においては、図８の選択画面により顧客情報ＣＬを選択するよう
に構成したが、これに限らず、次のようなインターフェースにより顧客情報ＣＬを選択す
るように構成することもできる。
図２１および図２２は、図８に対応して、図４（Ｂ）に表される各顧客情報ＣＬのコン
セプトＣＯを２次元空間に表現したものである。
【００８４】
図２１および図２２に示すように、属性のなかから最も多く使われている属性を２つ選
択し、顧客情報ＣＬをそのコンセプトＣＯに応じて２次元空間に配置した。顧客情報ＣＬ
３、ＣＬ１０、ＣＬ１４については、「面白い」と「エレガント」の属性がないので、マ
イナスの位置に配置してある。
ユーザは、マップ上をポインティングすることで、ターゲットとする顧客を選択するこ
とができる。マウスのドラッグ操作のような操作によって、マップ上の領域を指定して、
その領域に入っている顧客をターゲットとして選択することもできる。
【００８５】
図２１では、２次元空間の軸は、最も多く使われている属性を選んだが、図２２のよう
に、ユーザが軸を選択できるようにしてもよい。さらに、２次元でなく、３次元以上の多
次元表現であってもよく、その空間をナビゲーションできるようになっていてもよい。
また、年齢に関しては、属性の「２０代」「３０代」・・・を「年齢」＝０．２、「年
齢」＝０．３とデータ変換することによって配置する。同様に、性別も「男性」を「性別
」＝０．２５、「女性」を「性別」＝０．７５にデータ変換する。コンセプトの表現にお
いても、年齢に関しては、属性の「２０代」「３０代」・・・を「年齢」＝０．２、「年
齢」＝０．３、・・・、同様に、性別も「男性」を「性別」＝０．２５、「女性」を「性
別」＝０．７５と表現しても良い。
【００８６】
また、上記実施の形態においては、図９の選択画面により掲載情報ＩＮを選択するよう
に構成したが、これに限らず、次のようなインターフェースにより掲載情報ＩＮを選択す
るように構成することもできる。
図２３は、図９に対して、図２（Ｂ）で表される掲載情報ＩＮのコンセプトＣＯを追加
表示したものである。
【００８７】
図２３に示すように、属性（属性名と属性値の対）をテキストで列挙してもよい。
また、上記実施の形態においては、図１０の選択画面によりテンプレートＴＥを選択す
るように構成したが、これに限らず、次のようなインターフェースによりテンプレートＴ
Ｅを選択するように構成することもできる。
図２４および図２５は、図１０に対して、図３（Ｂ）で表されるテンプレートＴＥのコ
ンセプトＣＯを追加表示したものである。
【００８８】
図２１および図２２に示すように、顧客情報ＣＬのコンセプト表示は、コンセプト表示
のマップ上で選択ができる例を示したが、図２４および図２５の例では、情報を表示する
だけである。マップの表現方法は、顧客情報ＣＬと同じである。
図２４の例では、各テンプレートＴＥのコンセプトＣＯの属性のうち、属性値が大きい
ものから２つを軸として抽出し、かつ、同じ属性がＸ軸、Ｙ軸の同じ方向に来るように並
べている。
【００８９】
図２５の例のように、図２１の顧客情報ＣＬと同様に、軸を選択するように入力部を作
ることもできる。この場合、顧客情報ＣＬと同様に、属性がないものはマイナスの位置に
配置している。
また、上記実施の形態において、図５および図２０のフローチャートに示す処理を実行
するにあたってはいずれも、ＲＯＭにあらかじめ格納されている制御プログラムを実行す
る場合について説明したが、これに限らず、図２６に示すように、これらの手順を示した
プログラムが記憶された記憶媒体から、そのプログラムをＲＡＭに読み込んで実行するよ
うにしてもよい。
【００９０】
図２６は、記憶媒体およびそのデータ構造を示す図である。
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【００９１】
また、上記実施の形態においては、本発明に係る書類作成支援装置、書類作成支援プロ
グラムおよび記憶媒体、並びに書類作成支援方法の適用対象を特に示さなかったが、これ
に限らず、本発明の主旨を逸脱しない範囲で他の場合にも適用可能である。例えば、プリ
ンタの横に設置されるようなキオスク端末として構成することもできる。
検索部３１における検索処理を工程Ｓ１５における掲載情報の検索を例として説明する
。上記の実施例では、一致する属性が存在する掲載情報を検索、抽出している。
【００９２】
他の実施例としては、ターゲットコンセプトＴＣＯと掲載情報のコンセプトの距離を計
算することにより検索し、距離が近い方から所定数を抽出する。図１６に示すように、工
程Ｓ１５の掲載情報の検索においては、ターゲットコンセプトＴＣＯは、「２０代」＝１
．０、「女性」＝１．０、「広告・販売促進」＝１．０、「エレガント」＝０．６、「プ
リティ」＝０．３、「面白い」＝０．５、である。掲載情報とターゲットコンセプトＴＣ
Ｏの距離は、属性ごとの属性値の差の絶対値の和で求める。属性「２０代」に関しては、
ターゲットコンセプトＴＣＯは１．０、掲載情報ＩＮ１は０．８なので、「２０代」に関
する距離は０．２である。属性がない場合は、０として計算する。例えば、掲載情報ＩＮ
１は「男性」＝０．７であるが、ターゲットコンセプトＴＣＯには「男性」という属性は
ない。したがって、「男性」に関する距離は０．７となる。これらの和を求めると、ター
ゲットコンセプトＴＣＯと掲載情報ＩＮ１の距離は、０．２（２０代）＋１．０（女性）
＋１．０（広告・販売促進）＋０．６（エレガント）＋０．３（プリティ）＋０．５（面
白い）＋０．７（男性）＋０．６（シック）＋０．８（迫力のある）＝５．７である。掲
載情報記憶部に記憶されているすべての掲載情報ＩＮについて、ターゲットコンセプトＴ
ＣＯとの距離を計算し、上位所定数の掲載情報を抽出する。
【図面の簡単な説明】
【００９３】
【図１】実施例の書類作成支援装置１の構成を示す図。
【図２】実施例の掲載情報を示す図。
【図３】実施例のテンプレートを示す図。
【図４】実施例の顧客情報を示す図。
【図５】実施例の書類作成支援装置１の動作を示すフローチャート（その１）。
【図６】実施例の書類作成支援装置１の動作を示すフローチャート（その２）。
【図７】実施例の表示部の表示を示す図（その１）。
【図８】実施例の表示部の表示を示す図（その２）。
【図９】実施例の表示部の表示を示す図（その３）。
【図１０】実施例の表示部の表示を示す図（その４）。
【図１１】実施例の作成部による書類データの作成を示す図（その１）。
【図１２】実施例の作成部による書類データの作成を示す図（その２）。
【図１３】実施例の作成部による書類データの作成を示す図（その３）。
【図１４】実施例の作成部による書類データの調整を示す図。
【図１５】実施例の作成部による出力情報の付加を示す図。
【図１６】実施例の処理部によるターゲットコンセプトの修正を示す図。
【図１７】主たる機能をサーバ２００に設けた場合のネットワークシステムの構成を示すブロック図である。
【図１８】主たる機能をホスト端末１００に設けた場合のネットワークシステムの構成を示すブロック図である。
【図１９】ホスト端末１００およびサーバ２００に機能を同程度に分散して設けた場合のネットワークシステムの構成を示すブロック図である。
【図２０】顧客情報ＣＬに基づいてターゲットコンセプトＴＣＯを修正するターゲットコンセプト修正処理を示すフローチャートである。
【図２１】図８に対応して、図４（Ｂ）に表される各顧客情報ＣＬのコンセプトＣＯを２次元空間に表現したものである。
【図２２】図８に対応して、図４（Ｂ）に表される各顧客情報ＣＬのコンセプトＣＯを２次元空間に表現したものである。
【図２３】図９に対して、図２（Ｂ）で表される掲載情報ＩＮのコンセプトＣＯを追加表示したものである。
【図２４】図１０に対して、図３（Ｂ）で表されるテンプレートＴＥのコンセプトＣＯを追加表示したものである。
【図２５】図１０に対して、図３（Ｂ）で表されるテンプレートＴＥのコンセプトＣＯを追加表示したものである。
【図２６】記憶媒体およびそのデータ構造を示す図である。
【符号の説明】
【００９４】
１  書類作成支援装置    ２  情報交換ユニット    ３  処理ユニット    ４  記憶ユニ
ット    ５  出力装置。
【図１】
2006004451.tif 000003
【図２】
2006004451.tif 000004
【図３】
2006004451.tif 000005
【図４】
2006004451.tif 000006
【図５】
2006004451.tif 000007
【図６】
2006004451.tif 000008
【図７】
2006004451.tif 000009
【図８】
2006004451.tif 000010
【図９】
2006004451.tif 000011
【図１０】
2006004451.tif 000012
【図１１】
2006004451.tif 000013
【図１２】
2006004451.tif 000014
【図１３】
2006004451.tif 000015
【図１４】
2006004451.tif 000016
【図１５】
2006004451.tif 000017
【図１６】
2006004451.tif 000018
【図１７】
2006004451.tif 000019
【図１８】
2006004451.tif 000020
【図１９】
2006004451.tif 000021
【図２０】
2006004451.tif 000022
【図２１】
2006004451.tif 000023
【図２２】
2006004451.tif 000024
【図２３】
2006004451.tif 000025
【図２４】
2006004451.tif 000026
【図２５】
2006004451.tif 000027
【図２６】
2006004451.tif 000028